(57)【要約】【課題】釣竿本体の所定位置に正確に配置される釣糸ガイドの提供。【解決手段】釣糸ガイド２４は、シート部材２８及びガイド本体２９を備える。ガイド本体２９は、ガイドフレーム３１及びガイドリング３２を有する。ガイド本体２９は、シート部材２８を介して第２番節１４の所定位置に配置される。シート部材２８は、テーパ状に形成されている。シート部材２８は、スリット３３を備える。シート部材２８は、径方向に拡縮可能である。基部３０は、シート部材２８の外側に圧着状態で嵌め込まれる。【選択図】　図３
2004129555.tif 000002
【特許請求の範囲】
【請求項１】
テーパ状に形成された釣竿本体の所定位置の外径以下の内径を有する筒状に形成された可撓性を有するシート部材と、
シート部材を囲繞するようにシート部材の外側に圧着されるガイドフレームと、
ガイドフレームに設けられたガイドリングとを備えた釣糸ガイド。
【請求項２】
テーパ状に形成された釣竿本体の所定位置の外径以下の内径を有する筒状に形成され、且つ内径が拡縮可能なようにスリットが設けられたシート部材と、
環状に形成された基部を備え、当該基部がシート部材の外側に圧着されるガイドフレームと、
ガイドフレームに設けられたガイドリングとを備えた釣糸ガイド。
【請求項３】
上記シート部材は、外形がテーパ状に形成されている請求項１又は２記載の釣糸ガイド。
【請求項４】
釣竿本体と、
上記請求項１ないし３のいずれかに記載の釣糸ガイドとを備えた釣竿。
【請求項５】
テーパ状に形成された釣竿本体に遊嵌された釣糸ガイドを当該釣竿本体の所定位置に固定する釣糸ガイドの固定方法であって、
上記所定位置の外径以下の内径を有する筒状に形成された弾性体からなるシート部材が上記所定位置に配置され、当該シート部材に上記釣糸ガイドのガイド本体が外嵌される釣糸ガイドの固定方法。
【請求項６】
テーパ状に形成された釣竿本体に遊嵌された釣糸ガイドを当該釣竿本体の所定位置に固定する釣糸ガイドの固定構造であって、
上記所定位置に所定の緊迫力によって係止された弾性体からなるシート部材の外側に上記釣糸ガイドのガイド本体が圧着されている釣糸ガイドの固定構造。
【発明の詳細な説明】
【０００１】
【発明の属する技術の分野】
この発明は、釣竿に設けられる釣糸ガイドの構造に関するものである。
【０００２】
【従来の技術及び発明が解決しようとする課題】
釣用リールが装着されるタイプの釣竿では、釣用リールから繰り出された釣糸を釣竿に沿って案内するための釣糸ガイドが複数設けられている。これら釣糸ガイドは、すべてが釣竿本体に固定される場合もあるが、例えば磯釣用の振出式の釣竿等では、釣竿本体の外径が小さい部分（例えば、穂先部を構成する第１番節等）に配置される釣糸ガイドがスライド式に構成される場合もある（例えば、特許文献１参照）。
【０００３】
このスライド式の釣糸ガイドは、次のようにして釣竿本体に固定される。
図５は、従来の釣竿の要部拡大図であり、釣糸ガイドが釣竿本体に固定される要領が図示されている。
同図が示すように、釣竿本体１は、断面が円形の細長棒状に形成されているが、一般に緩やかなテーパが形成されている。釣糸ガイド２は、円環状の基部３を備えており、釣竿本体１が基部３に挿通された状態で釣糸ガイド２が釣竿本体１に取り付けられている。
基部３の内径は、釣竿本体１の所定位置Ｐの外径に対応されている。釣糸ガイド２が矢印４の方向にスライドされることにより、基部３が上記所定位置Ｐにぴったりと嵌合され、釣糸ガイド２は、釣竿本体１に固定される。釣糸５は、釣糸ガイド２によって支持される。
【０００４】
ところで、釣竿本体の製造技術上、釣竿本体の外径を設計寸法通りに高精度に仕上げることは困難である。このこと自体は、実釣において釣竿の性能に何ら悪影響はない。
しかし、釣竿本体１の外径が高精度に仕上げられないために、釣竿本体１の所定位置Ｐの外径寸法が設計寸法通りに仕上げられないことがある。一方、釣糸ガイド２の基部３は、樹脂等により金型を用いて成形されるものであり、その内径は設計寸法通りに精度良く仕上げられる。
そのため、釣竿本体１の所定位置Ｐに釣糸ガイド２が固定されるように設計されていても、実際には釣糸ガイド２が上記所定位置Ｐに正確に配置されない場合がある。
そこで、本発明の主目的は、釣竿本体の所定位置に正確に配置される釣糸ガイドを提供することである。
【０００５】
【特許文献１】
特開平１０−４８３１号公報
【０００６】
【課題を解決するための手段】
（１）　前述の問題が生じる原因は、釣竿本体の所定位置（すなわち、釣糸ガイドが固定されるべき位置）の外径が設計寸法に対して高精度に仕上げられない点にあるところ、本願発明者は、上記所定位置の外径が一定の範囲内のいずれの寸法に仕上げられていても、当該外径寸法に対応して当該所定位置に配置される所要のシート部材を設け、このシート部材に釣糸ガイドを取り付けることにより、釣糸ガイドを予め設計された位置に固定することができると考えた。
つまり、本願発明者は、釣糸ガイドを予め設計された位置に正確に固定するためには、当該釣糸ガイドが取り付けられる中間的な部材（上記シート部材等）を設け、この中間部材を介して釣糸ガイドを取り付けることによって、上記目的を達成することができると考えた。
【０００７】
（２）　そこで、本願に係る釣糸ガイドは、テーパ状に形成された釣竿本体の所定位置の外径以下の内径を有する筒状に形成された可撓性を有するシート部材と、シート部材を囲繞するようにシート部材の外側に圧着されるガイドフレームと、ガイドフレームに設けられたガイドリングとを備えたことを特徴とするものである。
【０００８】
この構成によれば、シート部材が釣竿本体の所定位置に配置され、このシート部材にガイドフレームが装着されることによって、釣糸ガイドが釣竿部材の所定位置に固定される。この所定位置とは、予め設計された釣糸ガイドの最適の配置位置である。
【０００９】
シート部材は、その内径が上記所定位置の外径よりも小さく設定されている。このため、シート部材が釣竿本体の先端側から（外径の細い方から）長手方向に沿ってスライドされた場合に、シート部材の内径と釣竿本体の外径とが一致する位置で、シート部材が釣竿本体に嵌め合わされて釣竿本体によって保持される。当該位置は、釣竿本体の外径が設計通りに正確に仕上げられている場合は、上記所定位置から若干ずれた位置（釣竿本体の外径が小さい側へずれた位置）である。
【００１０】
シート部材は可撓性を有するから、シート部材がさらに同方向にスライドするように当該シート部材に外力が作用したときは、シート部材が径方向に弾性的に拡径されながらスライドし、上記所定位置において所定の緊迫力によって釣竿本体に係止される。さらに、シート部材が同方向にスライドするように当該シート部材に外力が作用したときは、シート部材が径方向に弾性的に拡径されながらスライドし、上記所定位置からずれた位置（釣竿本体の外径が大きい側へずれた位置）において所定の緊迫力によって釣竿本体に係止される。
【００１１】
したがって、シート部材は、予め設計された釣竿本体の所定位置よりも釣竿本体の外径が小さい位置から大きい位置までの一定の範囲内で当該釣竿本体に係止される。
ガイドフレームは、このように釣竿本体に係止されたシート部材を囲繞するように当該シート部材に圧着されるから、シート部材及びガイドフレームは、当該位置で釣竿本体に確実に固定される。
【００１２】
（３）　また、本願に係る釣糸ガイドは、テーパ状に形成された釣竿本体の所定位置の外径以下の内径を有する筒状に形成され、且つ内径が拡縮可能なようにスリットが設けられたシート部材と、環状に形成された基部を備え、当該基部がシート部材の外側に圧着されるガイドフレームと、ガイドフレームに設けられたガイドリングとを備えたことを特徴とするものである。
【００１３】
この構成においても、シート部材は、その内径が上記所定位置の外径よりも小さく設定されているから、シート部材が釣竿本体の先端側から（外径の細い方から）長手方向に沿ってスライドされた場合に、シート部材の内径と釣竿本体の外径とが一致する位置で、シート部材が釣竿本体に嵌め合わされて係止される。当該位置は、釣竿本体の外径が設計通りに正確に仕上げられている場合は、上記所定位置から若干ずれた位置（釣竿本体の外径が小さい側へずれた位置）である。
【００１４】
シート部材にはスリットが設けられており、その内径が拡縮可能である。このため、シート部材がさらに同方向にスライドするように当該シート部材に外力が作用したときは、シート部材が径方向に弾性的に拡径されながらスライドし、上記所定位置において所定の緊迫力により釣竿本体に係止される。さらに、シート部材が同方向にスライドするように当該シート部材に外力が作用したときは、シート部材が径方向に弾性的に拡径されながらスライドし、上記所定位置からずれた位置（釣竿本体の外径が大きい側へずれた位置）において所定の緊迫力によって釣竿本体に係止される。
【００１５】
したがって、シート部材は、予め設計された釣竿本体の所定位置よりも釣竿本体の外径が小さい位置から大きい位置までの一定の範囲内で当該釣竿本体に係止される。
ガイドフレームは、このように釣竿本体に係止されたシート部材に嵌め込まれて圧着される。このとき、ガイドフレームによってシート部材が締め付けられ、シート部材は、当該位置で釣竿本体に確実に固定される。つまり、当該位置にシート部材及びガイドフレームが確実に固定される。
【００１６】
（４）　上記シート部材は、外形がテーパ状に形成されているのが好ましい。
シート部材がかかる形状に形成されることにより、ガイドフレームが圧着された状態で、当該ガイドフレームによってシート部材が径方向に確実に締め付けられる。したがって、シート部材は、釣竿本体の上記所定位置に一層確実に固定される。
【００１７】
（５）　上記釣糸ガイドが採用されることによって、テーパ状に形成された釣竿本体に遊嵌された釣糸ガイドを当該釣竿本体の所定位置に固定する釣糸ガイドの固定構造であって、上記所定位置に所定の緊迫力によって係止された弾性体からなるシート部材の外側に上記釣糸ガイドのガイド本体が圧着されている釣糸ガイドの固定構造が構成される。
この固定構造によれば、ガイド本体は、上記所定位置に係止されたシート部材に取り付けられるから、釣糸ガイドは、釣竿本体の予め設計された上記所定位置に正確に配置される。
【００１８】
（６）　また、上記釣糸ガイドが採用されることによって、テーパ状に形成された釣竿本体に遊嵌された釣糸ガイドを当該釣竿本体の所定位置に固定する釣糸ガイドの固定方法であって、上記所定位置の外径以下の内径を有する筒状に形成された弾性体からなるシート部材が上記所定位置に配置され、当該シート部材に上記釣糸ガイドのガイド本体が外嵌される釣糸ガイドの固定方法が成立する。
この固定方法によれば、まず、上記所定位置にシート部材が係止され、次いで、このシート部材にガイド本体が取り付けられる。これにより、釣糸ガイドは、予め設計された釣竿本体の上記所定位置に正確に配置される。
【００１９】
（７）　さらに、釣竿本体と、上記釣糸ガイドとを備えた釣竿が構成され得る。
この釣竿は、上記釣糸ガイドを備えるから、釣竿本体に釣糸ガイドが確実に固定される。しかも、上記シート部材は、予め設計された釣竿本体の所定位置よりも釣竿本体の外径が小さい位置から大きい位置までの一定の範囲内で当該釣竿本体に係止されるから、釣糸ガイドは、仮に釣竿本体の外径寸法が高精度に仕上げられていない場合であっても、予め設計された釣竿本体の所定位置に正確に且つ確実に固定される。
【００２０】
【発明の実施の形態】
以下、適宜図面が参照されつつ、好ましい実施形態に基づいて本発明が詳細に説明される。
【００２１】
図１は、本発明の一実施形態に係る釣竿１０の正面図である。
この釣竿１０は、いわゆるアウターガイドタイプの振出式釣竿である。釣竿１０は、釣竿本体１１及びリールシート１２とを備えている。リールシート１２は、釣用リールが装着される部分であると同時に、釣人が釣竿１０を把持する部分である。釣竿本体１１は、後に詳述される釣糸ガイド２１〜２７を備えており、釣糸は、これら釣糸ガイド２１〜２７によって支持されながら釣竿本体１１に沿って案内されるようになっている。
【００２２】
釣竿本体１１は、５つの筒状部材１３〜１７から構成されている。各筒状部材１３〜１７は、それぞれ「節」と称され、釣竿本体１１の先端側（図中左側）から順に第１番節１１、第２番節１２と称される。第４番節１６は、特に「元上節」と称され、第５番節１７は、特に「元節」と称される。各節１３〜１７は、既知の要領で構成される。例えば、カーボンプリプレグが所定形状に裁断され、これが筒状に巻回されることによって、円筒状の節１３〜１７が形成される。なお、第１番節１３は、特に中実棒状に形成される場合もある。
この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００２３】
第１番節１３は第２番節１４の内部に引き出し自在に収容されている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３が第２番節１４から引き出された際に、第１番節１３の後端部分が第２番節１４の先端部分とかみ合って両者が固定されるようになっている。なお、第２番節１４と第３番節１５との関係及び第３番節１５と元上節１６との関係も同様である。
【００２４】
元節１７には、上記リールシート１２が一体的に形成されている。このリールシート１２は、釣用リールを着脱自在に保持する。リールシート１２は、釣用リールの脚部の一方を収容保持するフード１８と、脚部の他方を収容保持する可動フード１９とを備えている。可動フード１９は、釣用リールを載置する載置面２０に沿って図中左右にスライド可能となっている。そして、可動フード１９が図中左右にスライドすることにより、可動フード１９とフード１８との間で、リールの脚部が挟持され固定されるようになっている。なお、かかるリールシート１２の構造については既知であるので、その詳しい説明は省略される。
【００２５】
前述のように、釣竿本体１１には、複数の釣糸ガイド２１〜２７が設けられている。釣糸ガイド２１は、特にトップガイドと称され、第１番節１３の先端に常時固定されている。また、釣糸ガイド２３，２５は、それぞれ、第２番節１４及び第３番節１５の先端に常時固定されている。
釣糸ガイド２２，２４，２６，２７は、それぞれ、第１番節１３，第２番節１４，第３番節１５，元上節１６に遊嵌されている。これら釣糸ガイド２２，２４，２６，２７は、各節１３〜１６が隣り合う節から引き出された状態で図中右側にスライド（各節１３〜１５において外径が漸次大きくなる方向にスライド）されることによって、各節１３〜１５の所定位置に嵌合固定されるようになっている。
【００２６】
図２は、釣糸ガイド２４の拡大正面図であり、釣糸ガイド２４が第２番節１４に固定されている状態を示している。また、図３は、この釣糸ガイド２４の分解斜視図である。
釣糸ガイド２４は、第２番節１４の所定位置、すなわち、第２番節１４の先端から距離Ａの位置に固定されている。この所定位置は、釣竿１０の設計において予め設定されている位置であり、距離Ａが決定されることにより、設計者の意図する釣竿１０の調子等が実現される。
【００２７】
釣糸ガイド２４は、シート部材２８と、ガイド本体２９とを備えている。
シート部材２８は、ポリブチレンテレフタレート（ＰＢＴ）、アクリロニトリルブタジエンスチレン共重合体（ＡＢＳ樹脂）、ウレタンゴム（Ｕ）等により構成されており、略円筒状に形成されている。もっとも、シート部材２８を構成する材料は、これに限定されるものではなく、他の種々の樹脂、ゴムのほか金属等が採用され得る。
シート部材２８は、その外径が漸次大きくなるようにテーパ状に形成されている。このテーパは、例えば、２０／１０００に設定されるが、釣竿の仕様（各節のテーパ）に応じて、５／１０００〜８０／１０００の範囲で設定され得る。
【００２８】
シート部材２８の内径ｄは、第２番節１４の上記所定位置の外径Ｄ（設計上の寸法）よりも小さい寸法に設定されている。具体的には、例えば、内径ｄは、
ｄ＝Ｄ−ａ　　（０．２ｍｍ≦ａ≦２．４ｍｍ）である。
シート部材２８には、軸方向に沿ってスリット３３が形成されている。このスリット３３は、図３が示すように、シート部材２８の径方向に貫通するように形成されており、これにより、シート部材２８は弾性的に変形し、その内径ｄが一定の範囲内で拡縮されるようになっている。
【００２９】
ガイド本体２９は、基部３０と、ガイドフレーム３１と、ガイドリング３２とを備えている。
基部３０は、例えば樹脂、金属等により構成され、円筒状に形成されている。基部３０の内径は、上記シート部材２８の先端部（最小外径部）が挿入され、且つシート部材２８の後端部（最大外径部）の外径よりも小さくなるように設定されている。つまり、基部３０は、シート部材２８を囲繞するようにシート部材２８に嵌め込まれ、且つシート部材２８を締め付けるようにしてシート部材に取り付けられるようになっている。
【００３０】
ガイドフレーム３１は、平板状の部材からなり、基部３０に設けられている。ガイドフレーム３１は、基部３０の径方向外方へ延びるように形成されている。ガイドフレーム３１は、基部３０と一体的に形成されていてもよいが、基部３０の材料とは異なる材料により別部材として構成され、基部３０に固着されていてもよい。
ガイドフレーム３１の先端部にはガイドリング取付孔が設けられている。ガイドリング３２は、このガイドリング取付孔に嵌め込まれることにより、ガイドフレーム３１に支持固定されている。釣糸は、このガイドリング３２に挿通され支持される。ガイドリング３２は、円環状に形成されており、たとえばシリコンカーバイト（ＳｉＣ）により構成される。
【００３１】
なお、釣糸ガイド２２，２６，２７は、釣糸ガイド２４と相似形であり、同様の構成であるから、釣糸ガイド２２，２６，２７の構成に関する説明は省略される。
【００３２】
釣竿１０では、次のようにして釣糸ガイド２４が第２番節１４に固定される。
釣竿１０は、通常は各節１３〜１６が元節１７の内部に収容されている。この状態では、釣糸ガイド２２，２４，２６，２７は、それぞれ第１番節１３、第２番節１４、第３番節１５、元上節１６に遊嵌されている。
釣竿１０が使用されるときは、釣人が各節１３〜１６を伸長させる。このとき、第２番節１４が第３番節１５から引き出され、釣糸ガイド２４は、第２番節１４に沿ってスライドされ、予め設計された所定位置（前述の第２番節１４の先端から距離Ａの位置）に配置固定されるようになっている。
【００３３】
シート部材２８は、その内径ｄが上記所定位置の外径Ｄよりも小さく設定されているから、釣人がシート部材２８をスライドさせた場合に、まず、第２番節１４の外径がシート部材２８の内径ｄと同様の寸法となる位置で、シート部材２８が第２番節１４に嵌め合わされて係止される。この位置は、第２番節１４の外径が設計通りに正確に仕上げられている場合は、上記所定位置から若干ずれた位置（第２番節１４の外径が小さい側へずれた位置）である。
【００３４】
シート部材２８にはスリット３３が設けられており、その内径が拡縮可能である。このため、釣人がシート部材２８をさらにスライドさせると、シート部材２８は径方向に弾性的に拡径しながら第２番節１４に沿って移動し、上記所定位置において所定の緊迫力によって第２番節１４に係止される。
釣人は、ガイド本体２９を第２節１４に沿ってスライドさせ、基部３０を当該シート部材２８の外側に嵌め込む。これにより、シート部材２８は基部３０及びガイドフレーム３１によって締め付けられた状態となり、ガイド本体２９は当該所定位置に固定される。つまり、釣糸ガイド２４は、第２番節１４の所定位置に確実に固定される。
【００３５】
仮に、第２番節１４の上記所定位置の外径が上記寸法Ｄよりも小さく仕上げられているとしても、釣人は、さらにシート部材２８をスライドさせることにより、シート部材２８が弾性的に拡径し、上記所定位置に配置される。そして、前述と同様の要領でガイド本体２９がシート部材２８に固定される。
一方、仮に、第２番節１４の上記所定位置の外径が上記寸法Ｄよりも小さく仕上げられているとしても、上記シート部材２８の内径ｄが上記寸法Ｄよりも小さく設定されているから、シート部材２８は前述と同様の要領で上記所定位置に配置される。そして、前述と同様の要領でガイド本体２９がシート部材２８に固定される。
【００３６】
つまり、シート部材２８は、その内径ｄが上記寸法Ｄよりも小さく設定されており、且つスリット３３によりその内径が変化するので、第２番節１４の外径の仕上寸法が予め設計された寸法と一致していない場合であっても、シート部材２８は、第２番節１４の上記所定位置に係止される。
したがって、釣糸ガイド２４は、常に第２番節１４の所定位置に確実に固定される。その結果、実釣において、設計者の意図する当該釣竿１０の調子が実現されるという効果を奏する。
【００３７】
特に、本実施形態では、シート部材２８は、テーパ状に形成されている。このため、シート部材２８に基部３０及びガイドフレーム３１が取り付けられた状態で、シート部材２８は、その径方向に確実に締め付けられる。
したがって、第２番節１４の外径寸法が予め設計された寸法と大きく異なっている場合（特に、外径が小さく仕上げられている場合）であっても、シート部材２８は、基部３０及びガイドフレーム３１によって締め付けられ、第２番節１４の上記所定位置に確実に固定されるという利点がある。
【００３８】
なお、釣糸ガイド２２，２６，２７についても同様の要領で、それぞれ、第１番節１３，第３番節１５，元上節１６に固定され、前述と同様の作用効果を奏する。
【００３９】
次に、本実施形態の変形例について説明される。
図４は、本実施形態の変形例に係る釣糸ガイド４０の分解斜視図である。
この釣糸ガイド４０は、上記実施形態に係る釣糸ガイド２４の設計変更例に係るものである。本変形例に係る釣糸ガイド４０が上記実施形態に係る釣糸ガイド２４と異なるところは、釣糸ガイド４０がシート部材４１を備えており、このシート部材４１がウレタンゴム、アクリロニトリル−ブタジエンゴム（ＮＢＲ）等の可撓性を有する材料により構成されている点、及びシート部材４１は、外径が一定の円筒状に形成されている点である。なお、その他の構成については、上記実施形態に係る釣糸ガイド２４と同様である。
【００４０】
この釣糸ガイド４０では、シート部材４１の内径ｄが第２番節１４の所定位置の外径Ｄよりも小さく設定されているから、シート部材４１が第２番節１４に沿ってスライドされた場合に、まず、シート部材４１の内径と第２番節１４の外径とが一致する位置でシート部材４１が係止される。
シート部材４１は可撓性を有するから、釣人がシート部材４１をさらに同方向にスライドさせると、シート部材４１が径方向に弾性的に拡径されながら移動し、上記所定位置において所定の緊迫力によって第２番節１４に係止される。
釣人は、ガイド本体２９を第２節１４に沿ってスライドさせ、基部３０を当該シート部材２８の外側に嵌め込む。シート部材４１は可撓性を有するから、基部３０及びガイドフレーム３１によって締め付けられた状態となり、ガイド本体２９は当該所定位置に固定される。つまり、釣糸ガイド４０は、第２番節１４の所定位置に確実に固定される。
【００４１】
上記実施形態と同様に、仮に、第２番節１４の上記所定位置の外径が上記寸法Ｄよりも小さく仕上げられているとしても、釣人は、さらにシート部材４１をスライドさせることにより、シート部材４１が弾性的に拡径し、上記所定位置に配置される。そして、前述と同様の要領でガイド本体２９がシート部材４１に固定される。
一方、仮に、第２番節１４の上記所定位置の外径が上記寸法Ｄよりも小さく仕上げられているとしても、上記シート部材４１の内径ｄが上記寸法Ｄよりも小さく設定されているから、シート部材４１は前述と同様の要領で上記所定位置に配置される。そして、前述と同様の要領でガイド本体２９がシート部材４１に固定される。
【００４２】
つまり、シート部材４１は、その内径ｄが上記寸法Ｄよりも小さく設定されており、且つ内径が拡縮可能であるので、第２番節１４の外径の仕上寸法が予め設計された寸法と一致していない場合であっても、シート部材４１は、第２番節１４の上記所定位置に係止される。したがって、釣糸ガイド４０は、常に第２番節１４の所定位置に確実に固定される。
なお、上記実施形態に係る釣糸ガイド２２，２６，２７についても、本変形例と同様の設計変更が施され得るものであることは勿論である。
【００４３】
【発明の効果】
以上のように、本発明によれば、釣竿本体の外径寸法が設計寸法に対して高精度に仕上げられていなくても、シート部材が釣竿本体の所定位置に正確に取り付けられ、このシート部材にガイドリングを備えたガイドフレームが嵌め込まれるので、釣糸ガイドは、釣竿本体の予め設計された所定位置に正確に固定される。その結果、実釣において、設計者の意図する当該釣竿の調子が実現される。
【図面の簡単な説明】
【図１】図１は、本発明の一実施形態に係る釣竿の正面図である。
【図２】図２は、本発明の一実施形態に係る釣糸ガイドの拡大正面図である。
【図３】図３は、本発明の一実施形態に係る釣糸ガイドの分解斜視図である。
【図４】図４は、本実施形態の変形例に係る釣糸ガイドの分解斜視図である。
【図５】図５は、従来の釣竿の要部拡大図である。
【符号の説明】
１０・・・釣竿
１１・・・釣竿本体
１３・・・第１番節
１４・・・第２番節
１５・・・第３番節
１６・・・元上節
２１〜２７・・・釣糸ガイド
２８・・・シート部材
２９・・・ガイド本体
３０・・・基部
３１・・・ガイドフレーム
３２・・・ガイドリング
３３・・・スリット
４０・・・釣糸ガイド
４１・・・シート部材
【図１】
2004129555.tif 000003
【図２】
2004129555.tif 000004
【図３】
2004129555.tif 000005
【図４】
2004129555.tif 000006
【図５】
2004129555.tif 000007